(57)【要約】【課題】ノイズによって受信データが変化しても受信データのうちから映像データとSYNCデータとを正確に分離することができる受信装置を提供する。【解決手段】受信装置２０Ａは、レシーバ２１、デマルチプレクサ２２、デコーダ２３、検出部２４、予測部２６およびＤＥ信号予測再生部２７を備える。予測部２６は、検出部２４がＢＳデータおよびＢＥデータを検出するタイミングを予測する。ＤＥ信号予測再生部２７は、検出部２４がＢＳデータおよびＢＥデータを検出したタイミングならびに予測部２６が予測したタイミングに基づいてＤＥ信号DE_Outを再生し、このDE_Outをデマルチプレクサ２２に与える。【選択図】図３
2018026769.tif 000002
【特許請求の範囲】
【請求項１】
ＤＥ信号が第１レベルである期間に送出される映像データ，前記ＤＥ信号が第２レベルである期間に送出されるSYNCデータ，前記ＤＥ信号が前記第１レベルから前記第２レベルへ遷移するタイミングを表すＢＳデータ，および，前記ＤＥ信号が前記第２レベルから前記第１レベルへ遷移するタイミングを表すＢＥデータを、送信装置から受信する受信装置であって、
受信したデータのうちから前記ＢＳデータおよび前記ＢＥデータを検出する検出部と、
前記検出部が前記ＢＳデータおよび前記ＢＥデータを検出するタイミングまたは前記ＤＥ信号のレベルが遷移するタイミングを予測する予測部と、
前記検出部が前記ＢＳデータおよび前記ＢＥデータを検出したタイミングならびに前記予測部が予測したタイミングに基づいて前記ＤＥ信号を再生するＤＥ信号予測再生部と、
前記ＤＥ信号予測再生部が再生したＤＥ信号に基づいて、受信したデータのうちから前記映像データと前記SYNCデータとを分離する分離部と、
を備えることを特徴とする受信装置。
【請求項２】
前記予測部が、過去に前記検出部が前記ＢＳデータおよび前記ＢＥデータを検出したタイミングに基づいて、以降に前記検出部が前記ＢＳデータおよび前記ＢＥデータを検出するタイミングを予測する、ことを特徴とする請求項１に記載の受信装置。
【請求項３】
前記予測部が、
前記検出部が前記ＢＳデータを検出したタイミングの間隔の時間を測定する第１測定部と、
前記検出部が前記ＢＥデータを検出したタイミングの間隔の時間を測定する第２測定部と、
前記第１測定部および前記第２測定部それぞれが測定した時間を記憶する記憶部と、
を含むことを特徴とする請求項２に記載の受信装置。
【請求項４】
前記予測部が、
前記検出部が前記ＢＥデータを検出してから前記ＢＳデータを検出するまでの第１時間を測定するとともに、前記検出部が前記ＢＳデータを検出してから前記ＢＥデータを検出するまでの第２時間を測定する測定部と、
前記測定部により測定された第１時間および第２時間を記憶する記憶部と、
を含むことを特徴とする請求項２に記載の受信装置。
【請求項５】
前記予測部が、過去に前記検出部が前記ＢＳデータおよび前記ＢＥデータを検出したタイミングに基づいて生成したＤＥ信号に基づいて、以降に前記ＤＥ信号のレベルが遷移するタイミングを予測する、ことを特徴とする請求項１に記載の受信装置。
【請求項６】
前記予測部が、
前記生成したＤＥ信号がＨレベルからＬレベルに遷移したタイミングの間隔の時間を測定する第１測定部と、
前記生成したＤＥ信号がＬレベルからＨレベルに遷移したタイミングの間隔の時間を測定する第２測定部と、
前記第１測定部および前記第２測定部それぞれが測定した時間を記憶する記憶部と、
を含むことを特徴とする請求項５に記載の受信装置。
【請求項７】
前記予測部が、
前記生成したＤＥ信号がＬレベルである第１時間を測定するとともに、前記生成したＤＥ信号がＨレベルである第２時間を測定する測定部と、
前記測定部により測定された第１時間および第２時間を記憶する記憶部と、
を含むことを特徴とする請求項５に記載の受信装置。
【請求項８】
前記予測部が、外部からの設定に基づいて、前記検出部が前記ＢＳデータおよび前記ＢＥデータを検出するタイミングまたは前記ＤＥ信号のレベルが遷移するタイミングを予測する、ことを特徴とする請求項１に記載の受信装置。
【請求項９】
前記ＤＥ信号予測再生部が、前記検出部が前記ＢＳデータおよび前記ＢＥデータを検出したタイミングと前記予測部が予測したタイミングとを比較して、両者が異なる場合は、前記予測部が予測したタイミングに基づいて前記ＤＥ信号を再生し、両者が同じである場合は、前記検出部が前記ＢＳデータおよび前記ＢＥデータを検出したタイミングに基づいて前記ＤＥ信号を再生する、ことを特徴とする請求項１に記載の受信装置。
【請求項１０】
前記ＤＥ信号予測再生部が、前記検出部が前記ＢＳデータおよび前記ＢＥデータを検出したタイミングと前記予測部が予測したタイミングとを比較して、両者が所定回数以上連続して異なる場合は、前記予測部が予測したタイミングに基づいて前記ＤＥ信号を再生し、それ以外の場合は、前記検出部が前記ＢＳデータおよび前記ＢＥデータを検出したタイミングに基づいて前記ＤＥ信号を再生する、ことを特徴とする請求項１に記載の受信装置。
【請求項１１】
前記ＤＥ信号予測再生部が、前記予測部が予測したタイミングを常に優先して前記ＤＥ信号を再生する、ことを特徴とする請求項８に記載の受信装置。
【請求項１２】
ＤＥ信号が第１レベルである期間に送出される映像データ，前記ＤＥ信号が第２レベルである期間に送出されるSYNCデータ，前記ＤＥ信号が前記第１レベルから前記第２レベルへ遷移するタイミングを表すＢＳデータ，および，前記ＤＥ信号が前記第２レベルから前記第１レベルへ遷移するタイミングを表すＢＥデータを送出する送信装置と、
前記送信装置から送出された映像データ，SYNCデータ，ＢＳデータおよびＢＥデータを受信する請求項１〜１１の何れか１項に記載の受信装置と、
を備えることを特徴とする送受信システム。
【発明の詳細な説明】
【技術分野】
【０００１】
本発明は、受信装置および送受信システムに関するものである。
【背景技術】
【０００２】
液晶表示装置等の映像表示装置に映像を表示する為の映像データを伝送する送受信システムが特許文献１に開示されている。この文献に開示された送受信システムは、映像データおよびSYNCデータを送出する送信装置と、この送信装置から送出された映像データおよびSYNCデータを受信して映像表示装置に映像を表示させる受信装置と、を備える。
【０００３】
この送受信システムにおいて、送信装置は、受信装置へ送出すべき映像データおよびSYNCデータを入力するとともに、ＤＥ信号（データイネーブル信号）をも入力する。そして、送信装置は、ＤＥ信号が第１レベル（例えばＨレベル）である期間に映像データを受信装置へ送出し、ＤＥ信号が第２レベル（例えばＬレベル）である期間（ブランキング期間）にSYNCデータを受信装置へ送出する。また、送信装置は、ＤＥ信号が第１レベルから第２レベルへ遷移するタイミングを表すＢＳデータ（ブランキングスタートデータ）を受信装置へ送出し、ＤＥ信号が第２レベルから第１レベルへ遷移するタイミングを表すＢＥデータ（ブランキングエンドデータ）を受信装置へ送出する。
【０００４】
受信装置は、送信装置から送出された映像データ，SYNCデータ，ＢＳデータおよびＢＥデータを受信する。そして、受信装置は、受信したデータのうちからＢＳデータおよびＢＥデータを検出して、これらを検出したタイミングに基づいてＤＥ信号を再生する。また、受信装置は、この再生したＤＥ信号に基づいて、受信したデータのうちから映像データとSYNCデータとを分離する。
【先行技術文献】
【特許文献】
【０００５】
【特許文献１】特開２００９−１３５８０１号公報
【発明の概要】
【発明が解決しようとする課題】
【０００６】
上記のような送受信システムにおいて、送信装置から伝送路を経て受信装置へデータが伝送される際に、静電気等の外因によりデータに一時的にノイズが重畳する場合がある。このノイズにより、受信装置が受信したデータは、送信装置が送出したデータと異なる場合がある。
【０００７】
受信装置は、ＢＳデータまたはＢＥデータを受信すべきタイミングで、これらのデータを検出することができないと、そのタイミング以降ではＤＥ信号を正確に再生することができない。受信装置は、ＤＥ信号を正確に再生することができないと、本来は映像データであるものを誤ってSYNCデータとして扱うことになり、或いは逆に、本来はSYNCデータであるものを誤って映像データとして扱うことになる。その結果、受信装置から出力された映像データおよびSYNCデータを入力する映像表示装置では、表示される映像が大きく乱れることになる。
【０００８】
本発明は、上記問題点を解消する為になされたものであり、ノイズによって受信データが変化しても受信データのうちから映像データとSYNCデータとを正確に分離することができる受信装置、および、このような受信装置を備える送受信システムを提供することを目的とする。
【課題を解決するための手段】
【０００９】
本発明の受信装置は、ＤＥ信号が第１レベルである期間に送出される映像データ，ＤＥ信号が第２レベルである期間に送出されるSYNCデータ，ＤＥ信号が第１レベルから第２レベルへ遷移するタイミングを表すＢＳデータ，および，ＤＥ信号が第２レベルから第１レベルへ遷移するタイミングを表すＢＥデータを、送信装置から受信するものである。本発明の受信装置は、受信したデータのうちからＢＳデータおよびＢＥデータを検出する検出部と、検出部がＢＳデータおよびＢＥデータを検出するタイミングまたはＤＥ信号のレベルが遷移するタイミングを予測する予測部と、検出部がＢＳデータおよびＢＥデータを検出したタイミングならびに予測部が予測したタイミングに基づいてＤＥ信号を再生するＤＥ信号予測再生部と、ＤＥ信号予測再生部が再生したＤＥ信号に基づいて、受信したデータのうちから映像データとSYNCデータとを分離する分離部と、を備えることを特徴とする。
【００１０】
予測部は、過去に検出部がＢＳデータおよびＢＥデータを検出したタイミングに基づいて、以降に検出部がＢＳデータおよびＢＥデータを検出するタイミングを予測するのが好適である。この場合、予測部は、検出部がＢＳデータを検出したタイミングの間隔の時間を測定する第１測定部と、検出部がＢＥデータを検出したタイミングの間隔の時間を測定する第２測定部と、第１測定部および第２測定部それぞれが測定した時間を記憶する記憶部と、を含むのが好適である。また、予測部は、検出部がＢＥデータを検出してからＢＳデータを検出するまでの第１時間を測定するとともに、検出部がＢＳデータを検出してからＢＥデータを検出するまでの第２時間を測定する測定部と、測定部により測定された第１時間および第２時間を記憶する記憶部と、を含むのも好適である。
【００１１】
予測部は、過去に検出部がＢＳデータおよびＢＥデータを検出したタイミングに基づいて生成したＤＥ信号に基づいて、以降にＤＥ信号のレベルが遷移するタイミングを予測するのも好適である。この場合、予測部は、生成したＤＥ信号がＨレベルからＬレベルに遷移したタイミングの間隔の時間を測定する第１測定部と、生成したＤＥ信号がＬレベルからＨレベルに遷移したタイミングの間隔の時間を測定する第２測定部と、第１測定部および第２測定部それぞれが測定した時間を記憶する記憶部と、を含むのが好適である。また、予測部は、生成したＤＥ信号がＬレベルである第１時間を測定するとともに、生成したＤＥ信号がＨレベルである第２時間を測定する測定部と、測定部により測定された第１時間および第２時間を記憶する記憶部と、を含むのも好適である。
【００１２】
予測部は、外部からの設定に基づいて、検出部がＢＳデータおよびＢＥデータを検出するタイミングまたはＤＥ信号のレベルが遷移するタイミングを予測するのも好適である。
【００１３】
ＤＥ信号予測再生部は、検出部がＢＳデータおよびＢＥデータを検出したタイミングと予測部が予測したタイミングとを比較して、両者が異なる場合は、予測部が予測したタイミングに基づいてＤＥ信号を再生し、両者が同じである場合は、検出部がＢＳデータおよびＢＥデータを検出したタイミングに基づいてＤＥ信号を再生するのが好適である。また、ＤＥ信号予測再生部は、検出部がＢＳデータおよびＢＥデータを検出したタイミングと予測部が予測したタイミングとを比較して、両者が所定回数以上連続して異なる場合は、予測部が予測したタイミングに基づいてＤＥ信号を再生し、それ以外の場合は、検出部がＢＳデータおよびＢＥデータを検出したタイミングに基づいてＤＥ信号を再生するのも好適である。また、ＤＥ信号予測再生部は、予測部が予測したタイミングを常に優先してＤＥ信号を再生するのも好適である。
【００１４】
本発明の送受信システムは、ＤＥ信号が第１レベルである期間に送出される映像データ，ＤＥ信号が第２レベルである期間に送出されるSYNCデータ，ＤＥ信号が第１レベルから第２レベルへ遷移するタイミングを表すＢＳデータ，および，ＤＥ信号が第２レベルから第１レベルへ遷移するタイミングを表すＢＥデータを送出する送信装置と、送信装置から送出された映像データ，SYNCデータ，ＢＳデータおよびＢＥデータを受信する上記の本発明の受信装置と、を備えることを特徴とする。
【発明の効果】
【００１５】
本発明によれば、ノイズによって受信データが変化しても、受信データのうちから映像データとSYNCデータとを正確に分離することができる。
【図面の簡単な説明】
【００１６】
【図１】図１は、比較例の送受信システム１の構成を示す図である。
【図２】図２は、比較例の送受信システム１における各信号を説明するタイミングチャートである。
【図３】図３は、第１実施形態の送受信システム１Ａの構成を示す図である。
【図４】図４は、第１実施形態の送受信システム１Ａにおける各信号を説明するタイミングチャートである。
【図５】図５は、第１実施形態の受信装置２０Ａの予測部２６の構成例を示す図である。
【図６】図６は、第１実施形態の受信装置２０Ａの予測部２６の他の構成例を示す図である。
【図７】図７は、第２実施形態の送受信システム１Ｂの構成を示す図である。
【図８】図８は、第３実施形態の送受信システム１Ｃの構成を示す図である。
【図９】図９は、第３実施形態の受信装置２０Ｃの予測部２６の構成例を示す図である。
【図１０】図１０は、本実施形態の受信装置の第１動作例を説明するタイミングチャートである。
【図１１】図１１は、本実施形態の受信装置の第２動作例を説明するタイミングチャートである。
【図１２】図１２は、本実施形態の受信装置の第３動作例を説明するタイミングチャートである。
【発明を実施するための形態】
【００１７】
以下、添付図面を参照して、本発明を実施するための形態を詳細に説明する。なお、図面の説明において同一の要素には同一の符号を付し、重複する説明を省略する。最初に比較例の構成を説明し、その後に実施形態の構成を説明する。
【００１８】
（比較例）
図１は、比較例の送受信システム１の構成を示す図である。図２は、比較例の送受信システム１における各信号を説明するタイミングチャートである。この送受信システム１は、送信装置１０および受信装置２０を備える。送信装置１０から送出されたデータは、伝送路３０により伝送されて受信装置２０に到達し、受信装置２０により送信される。
【００１９】
送信装置１０は、ドライバ１１、マルチプレクサ１２、エンコーダ１３およびシンボル生成部１４を備える。シンボル生成部１４は、ＤＥ信号（データイネーブル信号）DE_Inを入力し、このDE_Inのレベルまたはレベル遷移に応じてACTIVEシンボル，BSシンボル，BEシンボルおよびBPシンボルのうちの何れかを生成してマルチプレクサ１２に与える。シンボル生成部１４は、DE_InがＨレベルである期間にACTIVEシンボルを生成し、DE_InがＨレベルからＬレベルに遷移する期間にBSシンボルを生成し、DE_InがＬレベルからＨレベルに遷移する期間にBEシンボルを生成し、DE_InがＬレベルであってBS，BE以外の期間にBPシンボルを生成する。
【００２０】
エンコーダ１３は、受信装置２０へ送出すべき映像データDATA_InおよびSYNCデータSYNC_Inを入力し、これらのデータをエンコードする。エンコーダ１３は、DATA_InをエンコードしたACTIVE_Encデータ、SYNC_InとＢＳデータとをエンコードしたBS_Encデータ、SYNC_InとＢＥデータとをエンコードしたBE_Encデータ、および、SYNC_InをエンコードしたSYNC_Encデータを、マルチプレクサ１２へ出力する。
【００２１】
例えば、DATA_InおよびSYNC_Inは８ビットデータであるのに対して、エンコードデータ（ACTIVE_Enc，BS_Enc，BE_Enc，SYNC_Enc）は８Ｎビットデータである。ただし、Ｎは、２以上の整数であり、伝送帯域（総ビット数）に依存する。DATA_Inの帯域に比べてSYNC_Inの帯域は小さいので、エンコードデータにＢＳデータおよびＢＥデータを埋め込むことができる。図２に示された例では、８ＮビットのエンコードデータのうちPaket1[7：0]にBS_EncおよびBE_Encが埋め込まれている。
【００２２】
マルチプレクサ１２は、シンボル生成部１４により生成されたシンボル（ACTIVE，BS，BE，BP）を入力するとともに、エンコーダ１３により生成されたエンコードデータ（ACTIVE_Enc，BS_Enc，BE_Enc，SYNC_Enc）を入力して、入力したシンボルに応じて何れかのエンコードデータを選択して出力する。マルチプレクサ１２は、入力したシンボルがACTIVEシンボルであるときにACTIVE_Encデータをドライバ１１へ出力し、入力したシンボルがBSシンボルであるときにBS_Encデータをドライバ１１へ出力し、入力したシンボルがBEシンボルであるときにBE_Encデータをドライバ１１へ出力し、入力したシンボルがBPシンボルであるときにSYNC_Encデータをドライバ１１へ出力する。
【００２３】
ドライバ１１は、マルチプレクサ１２から出力されたデータを伝送路３０へ送出する。その送出されたデータは、伝送路３０を経て受信装置２０へ送信される。
【００２４】
受信装置２０は、レシーバ２１、デマルチプレクサ２２、デコーダ２３、検出部２４およびＤＥ信号再生部２５を備える。レシーバ２１は、送信装置１０から送出され伝送路３０により伝送されて到達したデータを受信する。検出部２４は、レシーバ２１により受信されたデータのうちからＢＳデータおよびＢＥデータを検出する。
【００２５】
ＤＥ信号再生部２５は、検出部２４がＢＳデータおよびＢＥデータを検出したタイミングに基づいてＤＥ信号DE_Outを再生する。このDE_Outは、検出部２４がＢＳデータを検出したタイミングでＨレベルからＬレベルに遷移し、検出部２４がＢＥデータを検出したタイミングでＬレベルからＨレベルに遷移する。ＤＥ信号再生部２５は、このDE_Outをデマルチプレクサ２２に与える。
【００２６】
デマルチプレクサ２２は、ＤＥ信号再生部２５から出力されたDE_Outを入力するとともに、レシーバ２１により受信されたデータを入力する。デマルチプレクサ２２は、DE_Outのレベルに応じて受信データを映像データとSYNCデータとに分離する分離部である。デマルチプレクサ２２は、DE_OutがＨレベルである期間に受信したデータを映像データDATA_Decとして出力し、DE_OutがＬレベルである期間に受信したデータをSYNCデータSYNC_Decとして出力する。DE_OutはＨレベルである期間では、DATA_DecはACTIVE_Encに相当するデータであり、SYNC_DecはDon’t Careである。DE_OutがＬレベルである期間では、DATA_DecはDon’t Careであり、SYNC_DecはBS_Enc／BE_Enc／SYNC_Encに相当するデータである。
【００２７】
デコーダ２３は、デマルチプレクサ２２から出力されたDATA_Decをデコードして映像データDATA_Outを出力するとともに、デマルチプレクサ２２から出力されたSYNC_DecをデコードしてSYNCデータSYNC_Outを出力する。
【００２８】
受信装置２０から出力されるDE_Outは、送信装置１０に入力されるDE_Inを再生したものである。受信装置２０から出力されるDATA_Outは、送信装置１０に入力されるDATA_Inを再生したものである。受信装置２０から出力されるSYNC_Outは、送信装置１０に入力されるSYNC_Inを再生したものである。
【００２９】
送信装置１０から受信装置２０へ送信されるデータは、例えば８Ｂ１０Ｂエンコードが施されたものである。このとき、ACTIVE_EncおよびSYNC_Encは、８Ｂ１０ＢエンコードのうちでもＤコードであり、BS_EncおよびBE_Encは、８Ｂ１０ＢエンコードのうちでもＫコードである。８Ｂ１０Ｂエンコードは、シリアル伝送においてよく使用されており、例えばＵＳＢやDisplay-Portなどで使用されている。
【００３０】
ＤコードおよびＫコードの何れも、８ビットデータを１０ビットデータにエンコードする。また、ＤコードおよびＫコードの何れにおいても、１つの８ビットデータに対して２つの１０ビットデータが対応している。一般に、８ビットデータは２５６（＝２８）通りの値を表すことができ、１０ビットデータは１０２４（＝２１０）通りの値を表すことができる。Ｄコードは全ての８ビットデータを１０ビットデータにエンコードするのに対して、Ｋコードは１２個の８ビットデータを１０ビットデータにエンコードする。したがって、１０２４通りの値を表すことができる１０ビットデータは、Ｄコードによる１０ビットデータと、Ｋコードによる１０ビットデータとを含むことができる。
【００３１】
例えば、８ビットデータおよび１０ビットデータそれぞれを２進数で表記すると、８ビットデータ [0001_1100] に対して、Ｋコードの１０ビットデータは[00_1111_0100] および [11_0000_1011] であり、Ｄコードの１０ビットデータは [00_1110_1011] および [00_1110_0100] である。このように、８ビットデータが同じ値であっても、Ｋコードの１０ビットデータはＤコードの１０ビットデータと異なる。Ｋコードの１０ビットデータがＤコードの１０ビットデータと一致することはないので、任意の１０ビットデータがＫコードおよびＤコードのうちの何れであるかを識別することができる。
【００３２】
ACTIVE_EncおよびSYNC_EncをＤコードのデータとするとともに、BS_EncおよびBE_EncをＫコードのデータとすることにより、DATA_Inを２５６通りの値に割り振ることができて送信帯域を確保することができ、また、検出部２４が受信データのうちからＢＳデータおよびＢＥデータを検出することができる。
【００３３】
比較例の受信装置２０では、検出部２４が受信データのうちからＢＳデータおよびＢＥデータを検出し、これらＢＳデータおよびＢＥデータを検出したタイミングに基づいてＤＥ信号再生部２５がDE_Outを再生する。送信装置１０から伝送路３０を経て受信装置２０へＢＳデータまたはＢＥデータが伝送される際に静電気等の外因によりデータにノイズが重畳すると、検出部２４は、ＢＳデータまたはＢＥデータを受信すべきタイミングで、これらのデータを検出することができない場合がある。検出部２４がＢＳデータまたはＢＥデータを検出することができないと、ＤＥ信号再生部２５はDE_Outを正確に再生することができず、デマルチプレクサ２２はDATA_Dec，SYNC_Decを正確に分離することができない。その結果、受信装置２０から出力されたDATA_Out，SYNC_Outを入力する映像表示装置では、表示される映像が大きく乱れることになる。
【００３４】
図２のタイミングチャートは、検出部２４がＢＳデータを検出することができなかった場合の例を示している。この場合、比較例では、ＤＥ信号再生部２５から出力されるDE_Outは、本来はＨレベルからＬレベルに遷移すべきタイミングになってもＨレベルのままとなり、本来はSYNCデータであるものを誤って映像データとして扱うことになり、本来のSYNCデータが消失してしまうことになる。以下に説明する本実施形態の受信装置を備える送受信システムは、このような問題を解消し得るものである。
【００３５】
（第１実施形態）
図３は、第１実施形態の送受信システム１Ａの構成を示す図である。図４は、第１実施形態の送受信システム１Ａにおける各信号を説明するタイミングチャートである。図１に示された比較例の送受信システム１の構成と比較すると、図３に示される第１実施形態の送受信システム１Ａは、受信装置２０に替えて受信装置２０Ａを備える点で相違する。また、比較例の受信装置２０と比較すると、第１実施形態の受信装置２０Ａは、ＤＥ信号再生部２５に替えて予測部２６およびＤＥ信号予測再生部２７を備える点で相違する。
【００３６】
予測部２６は、検出部２４がＢＳデータおよびＢＥデータを検出するタイミングを予測する。予測部２６は、過去に検出部２４がＢＳデータおよびＢＥデータを検出したタイミングに基づいて、以降に検出部２４がＢＳデータおよびＢＥデータを検出するタイミングを予測する。ＤＥ信号予測再生部２７は、検出部２４がＢＳデータおよびＢＥデータを検出したタイミングならびに予測部２６が予測したタイミングに基づいてＤＥ信号DE_Outを再生し、このDE_Outをデマルチプレクサ２２に与える。
【００３７】
このような構成を有する受信装置２０Ａでは、検出部２４がＢＳデータまたはＢＥデータを受信すべきタイミングでこれらのデータを検出することができない場合に、予測部２６が予測したタイミングに基づいてＤＥ信号予測再生部２７がDE_Outを再生することができる。したがって、デマルチプレクサ２２はDATA_Dec，SYNC_Decを正確に分離することができ、受信装置２０Ａから出力されたDATA_Out，SYNC_Outを入力する映像表示装置において表示される映像が大きく乱れることを回避することができる。
【００３８】
図４のタイミングチャートは、図２と同様に検出部２４がＢＳデータを検出することができなかった場合の例を示している。この場合、本実施形態では、予測部２６が予測したＢＳデータ検出タイミングで、ＤＥ信号予測再生部２７から出力されるDE_OutはＨレベルからＬレベルに遷移する。
【００３９】
図５は、第１実施形態の受信装置２０Ａの予測部２６の構成例を示す図である。同図に示される予測部２６は、ＢＳ周期カウンタ４１、ＢＥ周期カウンタ４２、ＢＳ周期判定部４３、ＢＥ周期判定部４４、ＢＳ周期記憶部４５、ＢＥ周期記憶部４６、ＢＳ予測部４７およびＢＥ予測部４８を備える。これらは基準クロックに従って動作する。
【００４０】
ＢＳ周期カウンタ４１は、検出部２４がＢＳデータを検出したタイミングの間隔の時間（周期）を測定する第１測定部である。ＢＥ周期カウンタ４２は、検出部２４がＢＥデータを検出したタイミングの間隔の時間（周期）を測定する第２測定部である。ＢＳ周期カウンタ４１およびＢＥ周期カウンタ４２それぞれは、基準クロックのパルスをカウントすることで、ＢＳデータ，ＢＥデータの周期を測定することができる。
【００４１】
ＢＳ周期判定部４３は、ＢＳ周期カウンタ４１によるカウント結果（すなわち、ＢＳデータの周期）をＢＳ周期記憶部４５に保存させるか否かを判定する。ＢＥ周期判定部４４は、ＢＥ周期カウンタ４２によるカウント結果（すなわち、ＢＥデータの周期）をＢＥ周期記憶部４６に保存させるか否かを判定する。
【００４２】
静電気等による外来ノイズは一時的であり且つ時間的にランダムに生じるので、外来ノイズの影響によりＢＳデータ，ＢＥデータの周期が連続して変化する可能性は低い。そこで、ＢＳ周期判定部４３は、ＢＳデータ周期が一定回数（例えば２回）以上連続して同じであった場合に、そのＢＳデータ周期をＢＳ周期記憶部４５に保存させる。また、ＢＥ周期判定部４４は、ＢＥデータ周期が一定回数（例えば２回）以上連続して同じであった場合に、そのＢＥデータ周期をＢＥ周期記憶部４６に保存させる。このようにすることで、誤った周期をＢＳ周期記憶部４５、ＢＥ周期記憶部４６に記憶することを防ぐことができる。
【００４３】
ＢＳ周期記憶部４５は、ＢＳデータの周期を保存すべきであるとＢＳ周期判定部４３が判定したときに、そのＢＳデータの周期を記憶する。ＢＥ周期記憶部４６は、ＢＥデータの周期を保存すべきであるとＢＥ周期判定部４４が判定したときに、そのＢＥデータの周期を記憶する。
【００４４】
ＢＳ予測部４７は、ＢＳ周期カウンタ４１によるカウント値（検出部２４によるＢＳデータ検出の周期）と、ＢＳ周期記憶部４５が記憶しているＢＳデータ周期とを比較して、検出部２４がＢＳデータを検出するタイミングを予測する。ＢＥ予測部４８は、ＢＥ周期カウンタ４２によるカウント値（検出部２４によるＢＥデータ検出の周期）と、ＢＥ周期記憶部４６が記憶しているＢＥデータ周期とを比較して、検出部２４がＢＥデータを検出するタイミングを予測する。
【００４５】
図６は、第１実施形態の受信装置２０Ａの予測部２６の他の構成例を示す図である。同図に示される予測部２６は、周期カウンタ５１、シンボル生成部５２、デマルチプレクサ５３、ＢＥtoＢＳ周期判定部５４、ＢＳtoＢＥ周期判定部５５、ＢＥtoＢＳ周期記憶部５６、ＢＳtoＢＥ周期記憶部５７、ＢＳ予測部５８およびＢＥ予測部５９を備える。これらは基準クロックに従って動作する。
【００４６】
周期カウンタ５１は、検出部２４がＢＥデータを検出してからＢＳデータを検出するまでの第１時間（ＢＥtoＢＳ周期）を測定するとともに、検出部２４がＢＳデータを検出してからＢＥデータを検出するまでの第２時間（ＢＳtoＢＥ周期）を測定する測定部である。周期カウンタ５１は、基準クロックのパルスをカウントすることで、ＢＥtoＢＳ周期，ＢＳtoＢＥ周期を測定することができる。
【００４７】
シンボル生成部５２は、検出部２４がＢＳデータおよびＢＥデータを検出したタイミングに基づいて、ＢＳシンボル，ＢＥシンボルを生成する。シンボル生成部５２がＢＳシンボルを生成したときには、デマルチプレクサ５３は、周期カウンタ５１によるカウント結果をＢＥtoＢＳ周期としてＢＥtoＢＳ周期判定部５４へ出力する。シンボル生成部５２がＢＥシンボルを生成したときには、デマルチプレクサ５３は、周期カウンタ５１によるカウント結果をＢＳtoＢＥ周期としてＢＳtoＢＥ周期判定部５５へ出力する。
【００４８】
ＢＥtoＢＳ周期判定部５４は、デマルチプレクサ５３から出力されたＢＥtoＢＳ周期をＢＥtoＢＳ周期記憶部５６に保存させるか否かを判定する。ＢＳtoＢＥ周期判定部５５は、デマルチプレクサ５３から出力されたＢＳtoＢＥ周期をＢＳtoＢＥ周期記憶部５７に保存させるか否かを判定する。ＢＥtoＢＳ周期判定部５４は、ＢＥtoＢＳ周期が一定回数（例えば２回）以上連続して同じであった場合に、そのＢＥtoＢＳ周期をＢＥtoＢＳ周期記憶部５６に保存させる。また、ＢＳtoＢＥ周期判定部５５は、ＢＳtoＢＥ周期が一定回数（例えば２回）以上連続して同じであった場合に、そのＢＳtoＢＥ周期をＢＳtoＢＥ周期記憶部５７に保存させる。
【００４９】
ＢＥtoＢＳ周期記憶部５６は、ＢＥtoＢＳ周期を保存すべきであるとＢＥtoＢＳ周期判定部５４が判定したときに、そのＢＥtoＢＳ周期を記憶する。ＢＳtoＢＥ周期記憶部５７は、ＢＳtoＢＥ周期を保存すべきであるとＢＳtoＢＥ周期判定部５５が判定したときに、そのＢＳtoＢＥ周期を記憶する。
【００５０】
ＢＳ予測部５８は、周期カウンタ５１によるカウント値と、ＢＥtoＢＳ周期記憶部５６が記憶しているＢＥtoＢＳ周期とを比較して、検出部２４がＢＳデータを検出するタイミングを予測する。ＢＥ予測部５９は、周期カウンタ５１によるカウント値と、ＢＳtoＢＥ周期記憶部５７が記憶しているＢＳtoＢＥ周期とを比較して、検出部２４がＢＥデータを検出するタイミングを予測する。
【００５１】
図５に示された構成では２個のカウンタを備えることが必要であったのに対して、図６に示された構成では、１個のカウンタを備えるだけでよく、消費電力の低減や装置の小型化の点に有利である。
【００５２】
（第２実施形態）
図７は、第２実施形態の送受信システム１Ｂの構成を示す図である。図１に示された比較例の送受信システム１の構成と比較すると、図７に示される第２実施形態の送受信システム１Ｂは、受信装置２０に替えて受信装置２０Ｂを備える点で相違する。また、比較例の受信装置２０と比較すると、第２実施形態の受信装置２０Ｂは、ＤＥ信号再生部２５に加えて予測部２６およびＤＥ信号予測再生部２７を更に備える点で相違する。
【００５３】
ＤＥ信号再生部２５は、検出部２４がＢＳデータおよびＢＥデータを検出したタイミングに基づいてＤＥ信号を再生する。予測部２６は、過去に検出部２４がＢＳデータおよびＢＥデータを検出したタイミングに基づいてＤＥ信号再生部２５が生成したＤＥ信号に基づいて、以降にＤＥ信号のレベルが遷移するタイミングを予測する。ＤＥ信号予測再生部２７は、検出部２４がＢＳデータおよびＢＥデータを検出したタイミング（すなわち、ＤＥ信号再生部２５が生成したＤＥ信号）ならびに予測部２６が予測したタイミングに基づいてＤＥ信号DE_Outを再生し、このDE_Outをデマルチプレクサ２２に与える。
【００５４】
予測部２６は、ＤＥ信号再生部２５が生成したＤＥ信号がＨレベルからＬレベルに遷移したタイミングの間隔の時間を測定する第１測定部と、ＤＥ信号再生部２５が生成したＤＥ信号がＬレベルからＨレベルに遷移したタイミングの間隔の時間を測定する第２測定部と、第１測定部および第２測定部それぞれが測定した時間を記憶する記憶部と、を含む構成とすることができる。或いは、予測部２６は、ＤＥ信号再生部２５が生成したＤＥ信号がＬレベルである第１時間を測定するとともに、該ＤＥ信号がＨレベルである第２時間を測定する測定部と、測定部により測定された第１時間および第２時間を記憶する記憶部と、を含む構成としてもよい。
【００５５】
このような構成を有する受信装置２０Ｂでも、検出部２４がＢＳデータまたはＢＥデータを受信すべきタイミングでこれらのデータを検出することができない場合に、予測部２６が予測したタイミングに基づいてＤＥ信号予測再生部２７がDE_Outを再生することができる。したがって、デマルチプレクサ２２はDATA_Dec，SYNC_Decを正確に分離することができ、受信装置２０Ｂから出力されたDATA_Out，SYNC_Outを入力する映像表示装置において表示される映像が大きく乱れることを回避することができる。
【００５６】
（第３実施形態）
図８は、第３実施形態の送受信システム１Ｃの構成を示す図である。図３に示された比第１実施形態の送受信システム１Ａの構成と比較すると、図８に示される第３実施形態の送受信システム１Ｃは、受信装置２０に替えて受信装置２０Ｃを備える点で相違する。また、第１実施形態の受信装置２０Ａと比較すると、第３実施形態の受信装置２０Ｃは、予測部２６の構成の点で相違する。
【００５７】
図９は、第３実施形態の受信装置２０Ｃの予測部２６の構成例を示す図である。同図に示される第３実施形態の予測部２６は、図５に示された第１実施形態の予測部２６の構成ともなり得るものである。第３実施形態においては、ＢＳ周期判定部４３、ＢＥ周期判定部４４、ＢＳ周期記憶部４５およびＢＥ周期記憶部４６は、オフ状態とされる。
【００５８】
第３実施形態の予測部２６は、ＢＳデータ周期設定値およびＢＥデータ周期設定値を外部から入力して内部に記憶し、これらの設定値に基づいて、検出部２４がＢＳデータおよびＢＥデータを検出するタイミングまたはＤＥ信号のレベルが遷移するタイミングを予測する。すなわち、ＢＳ予測部４７は、ＢＳ周期カウンタ４１によるカウント値（検出部２４によるＢＳデータ検出の周期）と、外部から設定されたＢＳデータ周期とを比較して、検出部２４がＢＳデータを検出するタイミングを予測する。ＢＥ予測部４８は、ＢＥ周期カウンタ４２によるカウント値（検出部２４によるＢＥデータ検出の周期）と、外部から設定されたＢＥデータ周期とを比較して、検出部２４がＢＥデータを検出するタイミングを予測する。
【００５９】
第３実施形態の構成は、ＢＥデータ周期，ＢＳデータ周期が固定である場合に有効である。
【００６０】
（本実施形態の受信装置の動作例）
次に、本実施形態の受信装置の第１〜第３の動作例について、図１０〜図１２を用いて説明する。これらの図には、検出部２４によるＢＳデータ検出，ＢＥデータ検出、予測部２６によるＢＳデータ予測，ＢＥデータ予測、ＤＥ信号予測再生部２７により再生されたＢＳデータ，ＢＥデータ，DE_out、が順に示されている。
【００６１】
図１０に示される第１動作例では、ＤＥ信号予測再生部２７は、検出部２４がＢＳデータおよびＢＥデータを検出したタイミングと予測部２６が予測したタイミングとを比較する。そして、ＤＥ信号予測再生部２７は、両者が異なる場合は、予測部２６が予測したタイミングに基づいてDE_Outを再生する。一方、ＤＥ信号予測再生部２７は、両者が同じである場合は、検出部２４がＢＳデータおよびＢＥデータを検出したタイミングに基づいてDE_Outを再生する。
【００６２】
図１１に示される第２動作例では、ＤＥ信号予測再生部２７は、検出部２４がＢＳデータおよびＢＥデータを検出したタイミングと予測部２６が予測したタイミングとを比較する。そして、ＤＥ信号予測再生部２７は、両者が所定回数（例えば２回）以上連続して異なる場合は、予測部２６が予測したタイミングに基づいてDE_Outを再生する。また、ＤＥ信号予測再生部２７は、それ以外の場合は、検出部２４がＢＳデータおよびＢＥデータを検出したタイミングに基づいてDE_Outを再生する。
【００６３】
図１２に示される第３動作例では、ＤＥ信号予測再生部２７は、予測部２６が予測したタイミングを常に優先してDE_Outを再生する。なお、この第３動作例は、第３実施形態の受信装置２０Ｃの動作として好適である。
【符号の説明】
【００６４】
１，１Ａ〜１Ｃ…送受信システム、１０…送信装置、１１…ドライバ、１２…マルチプレクサ、１３…エンコーダ、１４…シンボル生成部、２０，２０Ａ〜２０Ｃ…受信装置、２１…レシーバ、２２…デマルチプレクサ、２３…デコーダ、２４…検出部、２５…ＤＥ信号再生部、２６…予測部、２７…ＤＥ信号予測再生部、３０…伝送路。
【図１】
2018026769.tif 000003
【図２】
2018026769.tif 000004
【図３】
2018026769.tif 000005
【図４】
2018026769.tif 000006
【図５】
2018026769.tif 000007
【図６】
2018026769.tif 000008
【図７】
2018026769.tif 000009
【図８】
2018026769.tif 000010
【図９】
2018026769.tif 000011
【図１０】
2018026769.tif 000012
【図１１】
2018026769.tif 000013
【図１２】
2018026769.tif 000014